Podtech/llm-jp-corpus-v4-ja_patent huggingface dataset:
(57)【要約】      （修正有）【課題】着るだけでテーピングをしたと同様の効果がある被服を提供する。【解決手段】被服に弾力性のあるゴム等を、左上がりに縫いこむ。表地と裏地で、ゴムをはさむことで、補強ができてデザインの幅が広がる。【選択図】図１
0003143569.tif 000002
【実用新案登録請求の範囲】
【請求項１】
弾力性のあるゴム等を、左上がりに縫いこんだ、テーピング効果のある被服
【考案の詳細な説明】
【考案の開示】
【考案が解決しようとする課題】
【０００１】テーピング効果があるサポーター等は、あります。
しかし、体全体にテーピング効果がある被服はない。
毎日使う被服を有効に使い、自然治癒力を高める商品の開発が待たれた。
老若男女が使える商品開発が、課題である。
【課題を解決するための手段】
【０００２】被服に弾力性のあるゴム等を、左上がりに縫いこむ。
表地と裏地で、ゴムをはさむことで、補強ができてデザインの幅が広がる
【考案の効果】
【０００３】被服を着るだけで、テーピングをしたと同様の効果がある。
【図面の簡単な説明】
【０００４】
【図１】サポーターにゴム等を縫いこんだ平面図である。表地と裏地で、ゴムをはさむことで、補強ができてデザインの幅が広がる。
【図２】パンツにゴム等を縫いこんだ平面図である。表地と裏地で、ゴムをはさむことで、補強ができてデザインの幅が広がる。
【図３】シャツにゴム等を縫いこんだ平面図である。表地と裏地で、ゴムをはさむことで、補強ができてデザインの幅が広がる。
【符号の説明】
１  ゴム等
【図１】
0003143569.tif 000003
【図２】
0003143569.tif 000004
【図３】
0003143569.tif 000005
(57)【要約】      （修正有）【課題】ネクタイがひもの調整だけで簡単に着脱でき、裏面に収納ポケットやモバイル用アンテナを取付け便利に利用できるネクタイを提供する。【解決手段】実物のネクタイを切断した本体１に、２の位置へ３のひもと４のループエンドを取付け、ネクタイ結びで形を整えたあと縫製して完成させ、５のポケット、６の線状アンテナ、７のジャックを取り付けたネクタイで、着脱簡単かつ裏面が多目的に利用できる。【選択図】図２
0003143567.tif 000002
【実用新案登録請求の範囲】
【請求項１】
ネクタイの細い先端部分の一部を切断し、ひもに交換したうえ再度ネクタイとして結び縫製することにより、ひもの調節だけで簡単に着脱可能でかつ首周りの暑さを低減できる便利な特徴を要するエコネクタイ。
【請求項２】
ネクタイの裏面へポケットやマジックテープを付けたり、線状のアンテナを縫込むことにより、今まで活用できなかった裏面が収納ポケットやモバイル用アンテナとして活用可能な特徴を要するエコネクタイ。
【考案の詳細な説明】
【技術分野】
【０００１】  本考案は、実物のネクタイをひもの調節だけで簡単に着脱できるものに加工し、かついままで活用できなかった裏面に収納ポケットやアンテナを設けたネクタイに関するものである。
【背景技術】
【０００２】  クールビズの導入で夏季のノーネクタイが普及してきたが、突然ネクタイを装着しようとしても面倒で鏡など無い場合上手に結べず困ることがよくあり、ネクタイを結ぶのが大変な体の不自由な方も多い。またネクタイは結ぶ作業が必要なため、今までは裏面を利用することが難しかった。
【考案の開示】
【考案が解決しようとする課題】
【０００３】  外出先でネクタイを結ぶ場合、鏡が無く不便を感じたり、余分な時間を費やしたりで経済的負担が多く、普通のネクタイは首周りが暑い。また最近は社員証、小型化した音楽プレイヤーや、ヘッドホン、ＡＶ機器などに関連するものを多数持ち歩き、首から複数の物を下げるなど見た目も悪く、収納に苦慮することがある。
【課題を解決するための手段】
【０００４】  本考案は、ネクタイの細い先端部分の一部を切断し、ひもに交換したうえ再度ネクタイとして結び縫製することにより、ひもの調節だけで簡単に着脱可能で、かつ首周りの暑さを低減できるものに加工した。また今まで活用されなかった裏面に、収納ポケットを付けたり、線状アンテナを縫込むことにより、多目的に利用が可能となる。
【考案の効果】
【０００５】  上述の様に、本考案のネクタイは実物を結ぶため装着後の見た目もごく自然で、実物を加工するため、注文によりネクタイの長さや首周りのひもの長さも自由に加工する事や、分解し再度結び直し縫製することも可能なため、使用中のネクタイを加工することも出来る。また、裏面にポケットを付けたり線状アンテナを縫込むことにより、今まで利用できなかった裏面を多目的に利用することが出来る。
【考案の実施するための最良の形態】
【０００６】  ネクタイは結んだ後の長さを確認したうえ切断し、ひもを縫い付け再度結び上げ、形を整えてから全体を縫製後、ひもの先端にループエンドを取り付け完成させる。その後裏面に収納ポケットを取り付けるが、縫い付ける方法とマジックテープで付ける両方の方法がある。なお線状アンテナなどは利用目的に合わせ、長さやジャックの位置を決めネクタイの裏面に取り付ける。
【実施例】
【０００７】  以下、添付図面に従って一実施例を説明する。１は実物のネクタイを２の位置で切断し３のひもを縫い付けたもの、４はループエンドで、加工した１の本体をネクタイ結びし形を整え縫製し完成する。【０００８】  ５は加工後の本体１に取付けた収納ポケット、６は本体１に縫込んだ線状アンテナで７のジヤックにて使用する。【０００９】  本考案の一実施例は上記の如き構成からなるものであるから、３のひもを首に巻きつけ長さを調整することにより簡単にネクタイ本体１を装着することができ、体の不自由な方でも利用可能である。また裏面のポケット５や線状アンテナ６は自由な発想で使用することが可能である。
【図面の簡単な説明】
【００１０】
【図１】本考案ネクタイ加工中の実施例を示す裏面の図である。
【図２】ネクタイ加工後の実施例を示す裏面の図である。
【符号の説明】
【００１１】  １  ネクタイ本体
２  ひもの取付け位置
３  ひも
４  ループエンド
５  収納ポケット
６  線状アンテナ
７  ジャック
【図１】
0003143567.tif 000003
【図２】
0003143567.tif 000004
【手続補正書】
【提出日】平成20年4月30日(2008.4.30)
【手続補正１】
【補正対象書類名】実用新案登録請求の範囲
【補正対象項目名】請求項１
【補正方法】変更
【補正の内容】
【請求項１】
ネクタイの細い先端部分の一部を切断し、ひもに交換したうえ再度ネクタイとして結び縫製することにより、ひもの調節だけで簡単に着脱可能でかつ首周りの暑さを低減できる便利な特徴を有するエコネクタイ。
【手続補正２】
【補正対象書類名】実用新案登録請求の範囲
【補正対象項目名】請求項２
【補正方法】変更
【補正の内容】
【請求項２】
請求項１のネクタイの裏面へポケットやマジックテープ（登録商標）を付けたり、線状のアンテナを縫込むことにより、今まで活用できなかった裏面が収納ポケットやモバイル用アンテナとして活用可能な特徴を有する請求項１記載のエコネクタイ。
【手続補正３】
【補正対象書類名】明細書
【補正対象項目名】０００６
【補正方法】変更
【補正の内容】
【０００６】  ネクタイは結んだ後の長さを確認したうえ切断し、ひもを縫い付け再度結び上げ、形を整えてから全体を縫製後、ひもの先端にループエンドを取り付け完成させる。その後裏面に収納ポケットを取り付けるが、縫い付ける方法とマジックテープ（登録商標）で付ける両方の方法がある。なお線状アンテナなどは利用目的に合わせ、長さやジャックの位置を決めネクタイの裏面に取り付ける。
(57)【要約】      （修正有）【課題】暗闇で生花のブーケをアピールするとき、見えるように生花の表面に畜光塗料を塗布したものをアレンジした光るブーケを提供する。【解決手段】植物素材３に畜光塗料を塗布し、光るブーケの骨組をつくり、その上で畜光塗料を塗布した生花２をアレンジし、保水性を維持するためにそれぞれの光る生花は水を入れたグラスチューブにて固定される。【選択図】図１
0003143568.tif 000002
【実用新案登録請求の範囲】
【請求項１】
（イ）  畜光塗料（１）を生花（２）及び植物素材の骨組（３）に塗布する。
（ロ）  （イ）を組み合わせてブーケを製作する。
（ハ）  生花は保水性を保つように、水の入ったグラスチューブ（５）に固定される。
以上の構成よりなる生花ブーケ。
【考案の詳細な説明】
【技術分野】
【０００１】この発明は、暗闇で光る生花ブーケに関するものである。
【背景技術】
【０００２】従来、生花ブーケは暗闇では見えにくいものであった。
【考案の開示】
【考案が解決しようとする課題】
【０００３】  これは、次のような欠点があった。
従来、結婚式で花嫁が生花ブーケを持ったとき、入場時など照明を落とすことが多く、せっかくのブーケが全く見えず、非常に残念な思いをされる。また、生花ブーケは日持ちがせず、２〜３日で枯れてしまうことになり、記念品として残らない。
本発明は、以上のような欠点をなくすためになされたものである。
【課題を解決するための手段】
【０００４】  植物素材の畜光塗料を塗布し、ブーケを製作するための骨組をつくる。
生花の表面に畜光塗料を塗布し、それらを骨組に合わせてアレンジする。
本発明は、以上の構成よりなる光る生花ブーケである。
【考案の効果】
【０００５】  暗闇でも光るので、照明を落としても見える。
保水用グラスチューブにより日持ちがする。（約１週間）
【考案を実施するための最良の形態】
【０００６】  以下、本発明を実施するための最良の形態について説明する。
生花の表面に畜光塗料を塗布し、それらを骨組に合わせてブーケとしてアレンジする。
本発明は、以上のような構造である。
これを使用すれば、照明を落とした会場や夜屋外などの暗闇においてもブーケをアピールすることができる。
【図面の簡単な説明】
【０００７】
【図１】本発明の正面図である。
【図２】本発明の側面である。
【図３】本発明の一部（生花部分）拡大図である。
【符号の説明】
【０００８】１  畜光塗料
２  生花
３  植物素材の骨組
４  ブーケの持ち手
５  生花を挿すグラスチューブ（水）
【図１】
0003143568.tif 000003
【図２】
0003143568.tif 000004
【図３】
0003143568.tif 000005
(57)【要約】【課題】真空包装装置におけるコンベヤベルトを軽労力でもって緩緊可能にする。【解決手段】コンベヤベルト１０他側のプーリ１５の軸１６を、ガイド１７に沿って一側プーリ１２の方向にスライド自在に支持した可動板１７に支持する一方、前記の一側プーリの軸１４と、他側のプーリの軸１６とを結ぶ線２１上に枢支軸２３をもつL字可型のテコ２２と、前記可動板１７とをリンク２４を介して連結する。コンベヤベルト１０の収縮力は、前記線２１上で直線的に作用するため、テコ２２を小さな力で操作するだけで、コンベヤベルト１０は自力で収縮して緩み、作業者の労力軽減を果たすことになるのである。【選択図】図１
0003143540.tif 000002
【実用新案登録請求の範囲】
【請求項１】
開封包装体を真空包装装置に運び入れるコンベヤベルトにおいて、該コンベヤベルトを支持する一側プーリの軸両端を、前記コンベヤベルト両側のサイドプレートに支持すると共に、前記コンベヤベルトを支持する他側のプーリの軸両端を、ガイドに沿って前記一側プーリ方向にスライド自在な可動プレートに支持する一方、前記の一側プーリの軸と他側のプーリの軸とを結ぶ線上に枢支軸をもつL字可型のテコと、前記可動板とを、前記線上でリンクを介して連結したコンベヤベルトの緩緊機構。
【考案の詳細な説明】
【技術分野】
【０００１】
本考案は、コンベヤベルトでもって開封包装体を運搬し、前記運搬軌道中において前記コンベヤベルトと、それに被さる耐圧チャンバーとで前記開封包装体を囲んで真空包装する装置において、前記コンベヤベルトを緩めたり緊張させたりする機構に関する。
【０００２】
開封包装体に収容した被包装物が塩分や油脂を含み持つ食品の場合、真空用の耐圧チャンバーを減圧することにより、開封包装体からは塩分や油脂が湧き出してコンベヤベルトを汚染するので、該コンベヤベルトを緩めて定期的に洗浄する必要がある。このため下記の特許文献１では、コンベヤベルトを支持して緊張させる一対のプーリのうち、一側のプーリを、ピンを軸に上下に揺動自在なプレートに支持し、該プレートを水平に維持してコンベヤベルトを緊張させ、反対に前記ピンを軸に同プレートを鉛直方向に回転させることでコンベヤベルトを緩める機構を採用している。しかしコンベヤベルトを緊張させる場合、プーリ及びそれを支持するプレートの重量に加えて、コンベヤべルトの緊張反力が作業者の操作力に抵抗して、作業者には重負担になるという問題があった。
【０００３】
【特許文献１】実用新案登録第３１０７５３０号公報
【考案の開示】
【０００４】
本発明は前記の問題点を解決するものであって、開封包装体を真空包装装置に運び入れるコンベヤベルトにおいて、該コンベヤベルトを支持する一側プーリの軸両端を、前記コンベヤベルト両側のサイドプレートに支持すると共に、前記コンベヤベルトを支持する他側のプーリの軸両端を、前記サイドプレートに設けたガイドに沿って前記一側プーリの方向にスライド自在な可動プレートに支持する一方、前記の一側プーリの軸と、他側のプーリの軸とを結ぶ線上に枢支軸をもつL字可型のテコと、前記可動板とを、前記線上においてリンクを介して連結して構成する。
【０００５】
前記の構成では、テコでもって可動板を操作してコンベヤベルトを緊張させることができ、この場合、一側プーリの軸と、他側のプーリの軸とを結ぶ線上に、L字可型テコの枢支軸及び、リンク両端のピンを位置させることで、コンベヤベルトの収縮力はリンクを介してテコの枢支軸に直線的に作用する。このため例えばテコと枢支軸との摩擦を高めておくとか、テコに僅かな摩擦を作用させておけば、コンベヤベルトの収縮を阻止でき、その後、テコを小さな力で操作してテコとリンクとを結合するピンを、一側プーリの軸と他側のプーリの軸とを結ぶ線上外に変位させるだけで、コンベヤベルトは自力で収縮し、作業者の労力軽減を果たすことになるのである。
【実施例１】
【０００６】
図１は、開封包装体を真空包装装置に運び入れるコンベヤベルト１０であり、該コンベヤベルト１０の両側に位置するサイドプレート１３は、一側のプーリ１２の軸１４を軸受け１９を介して支持し、また上下のガイド２０に支持した可動板１７は、調整螺子棒１８を介して他側のプーリ１５の軸１６を支持する。
【０００７】
理想的には、一側プーリの軸１４と、他側のプーリの軸１６とを結ぶ線２１上に、L字可型テコ２２の枢支軸２３を配置し、前記線２１上に配置したリンク２４を介してテコ２２の端と前記可動板１７とを連結する。図面で線２１は、一側プーリの軸１４と、他側のプーリの軸１６とを結ぶ線より僅か下に平行形成しているが、上下のガイド２０に沿って可動板１７は水平移動を保たれるので、この程度の誤差があってもテコ２２と枢支軸２３との間、またはテコ２２とサイドブレート１３との間にある程度の摩擦があれば、リンク２４を押し曲げてコンベヤベルト１０が自然収縮するのを阻止することはできる。
【０００８】
」
したがって請求項１の記載は、「一側プーリの軸１４と、他側のプーリの軸１６とを結ぶ線２１上に、L字可型テコ２２の枢支軸２３を配置し、前記線２１上に配置したリンク２４を介してテコ２２の端と前記可動板１７とを連結する。」との記載に沿うものであるが、かかる記載に示される構成と異なる図１の線２１の位置であっても、請求項１に記載の構成と相違のない効果が期待されるので、図１に示す線２１上での構成は、請求項１の記載と同一のものとして定義するものである。
【０００９】
図2に示すごとく、可動板１７の端からサイドプレート１３外に突き出るブラケット３０に、前記の調整螺子棒１８を回転自在に支持すると共に、該調整螺子棒１８を、プーリの軸１６に形成した雌ねじ孔３１に係合（図３参照）し、調整螺子棒１８の回転操作によって、可動板１７におけるプーリ１５の設置位置を調整できる。
【００１０】
図４はテコ２２に操作力を加え、前記線２１存在したリンク２４の片側のピン３５を、同線２１の外に移動させた状態を示すものであって、かかる状態を人工的に形成することにより、コンベヤベルト１０は自己収縮力によってプーリ１５を移動させ、図１における支持板４０の上面からの、コンベヤベルト１０の剥離を容易にするのである。
【図面の簡単な説明】
【００１１】
【図１】ベルト式真空包装装置の側面図
【図２】前図の部分的平面図
【図３】前図の正面断面図
【図４】作用説明図
【符号の説明】
【００１２】
１０‥‥コンベヤベルト
１２‥‥一側のプーリ
１３‥‥サイドプレート
１４‥‥軸
１５‥‥他側のプーリ
１６‥‥軸
１７‥‥可動板
２０‥‥ガイド
２１‥‥平行な線
２２‥‥テコ
２３‥‥枢支軸
【図１】
0003143540.tif 000003
【図２】
0003143540.tif 000004
【図３】
0003143540.tif 000005
【図４】
0003143540.tif 000006
(57)【要約】      （修正有）【課題】作業効率及び材料有効利用を容易にする全ネジ使用配管支持金物を提供する。【解決手段】全ネジと縦バンド取付部分１を分け、縦バンド取付部分に全ネジ取付ソケット部２を接合する。このことにより、各種サイズの長さのものを制作及び在庫の要なく、また、従来のメガネバンドの代りに使うこともでき、省資源となる。【選択図】図１
0003143594.tif 000002
【実用新案登録請求の範囲】
【請求項１】
縦バンド取付け部に全ネジ取付けソケットを一体化することにより材料の選択、全ネジ有効利用、資源節約等に留意した支持金物。
【考案の詳細な説明】
【技術分野】
【０００１】本考案は、作業効率及び材料有効利用を容易にする支持金物に関する考案【０００２】従来の全ネジ付配管支持金物では、全ネジと縦バンド取付け部分が一体になっつている為使用目的に対し各種類の長さのものを製作し、在庫しなければならない。そのため多くのスペースを必要となる。【０００３】また、従来の全ネジ付配管支持金物では、全ネジと縦バンド取付け部分が一体となっている為使用寸法に切断した際残りの端材は他に使用することが出来ず、ゴミとして捨てるしかない。【０００４】従来の全ネジ付配管支持金物では、まず使用目的寸法を現地で測定し、使用目的寸法に近い寸法の全ネジ付配管支持金物を選択し発注しなければならない。
【考案が解決しようとする課題】
【０００５】しかしながら、従来の全ネジ付配管支持金物では全ネジと縦バンド取付け部分が一体となっている為、ほとんど改善の余地がない。したがって、上述のような従来の全ネジ付配管支持金物では作業効率、資源有効利用の観点から見てもさらに優れた配管支持金物が望まれているのが現状である。本考案では、上記従来の全ネジ付配管支持金物の課題を解消しようとするものであり、優れた配管支持金物を提供するのが目的である。
【課題を解決する為の手段】
【０００６】本考案は、従来の全ネジ付配管支持金物様な全ネジと縦バンド取付け部分が一体となっているものではなく、全ネジと縦バンド取付け部分を分け代わりに縦バンド取付け部分に全ネジ取り付けソケットを接合することにより改善した。
【考案の効果】
【０００７】本考案では、現地で必要寸法を測定し、それに近い長さの製品を発注、そして現地で必要寸法に加工する工程が短縮される。
【０００８】さらに、従来の全ネジ付配管支持金物と違い縦バンド取付け部分が全ネジと分かれている為現地で全ネジ長さを加工し使用する。それ故、全ネジの端材が出ず資源有効利用が実現できた。
【０００９】また、縦バンド取付け部分と全ネジが分かれている為、各サイズの長さのものを製作及び在庫する必要がなくなりストックヤードが縮小できる。
【００１０】本考案では、配管同士の支持金物としても使用可能となる為、従来の俗称メガネバンドが必要無くなり資源節約となる。
【図面の簡単な説明】
【００１１】
【図１】全ネジ取付けソケット付羽子板の全体図
【符号の説明】
【００１２】▲１▼縦バンド取付け部
▲２▼全ネジ取付けソケット部
【図１】
0003143594.tif 000003
(57)【要約】      （修正有）【課題】生花を保存処理加工された花（プリザーブドフラワー、ドライフラワー）とハーブの一種であるポプリを、組み合わせる事によりそれぞれが単独では実現できなかった、視覚、嗅覚にその特徴を生かした観賞用置物を提供する。【解決手段】保存処理加工した自然植物である観賞用ブリザードフラワー、ドライフラワーと芳香用ポプリをネット及びフォームを使用し、容器及び花器に固定し、それぞれの利点を生かして、観賞用置物を構成する。【選択図】図２
0003143591.tif 000002
【実用新案登録請求の範囲】
【請求項１】
保存処理加工した自然植物である観賞用プリザーブドフラワー、ドライフラワーと芳香用ポプリをネット及びフォームを使用し、容器及び花器に固定し、それぞれの利点を生かす事を特徴とした観賞用の置物である。
【考案の詳細な説明】
【技術分野】
【０００１】本考案は、ポプリをネット及びフォームを使用しフラワーアレンジメントをする容器及び花器に関するものである。
【背景技術】
【０００２】従来、保存処理加工された花は、花本来の香りが損なわれていた。
【考案の開示】
保存処理加工された花に、自然のポプリの香りを融合させる。
【考案が解決しようとする課題】
【０００３】保存処理加工された花（プリザーブドフラワー、ドライフラワー）は、花本来の香りが無く解決策としては、化学香料等を使用したものだけである。
【課題を解決するための手段】
【０００４】本考案は、自然植物である花を保存処理加工した花（プリザーブドフラワー、ドライフラワー）と、同じく自然植物を保存処理加工した芳香用ポプリをネット及びフォームを使い容器及び花器に固定し融合する事により、同じ自然なものとの組み合わせで、それぞれの特徴を生かすかたちで問題点を解決している。
【考案の効果】
【０００５】上述のように、花には観賞する事により癒しの効果がある。ポプリは自然の植物類からつくられる。その香りは使用する人の目的に応じ活力、鎮静、または癒しの効果等と多種多様である。融合する事によりその目的あるいは効果は相乗効果により倍増する。
【考案を実施するための最良の形態】
【０００６】ポプリをそのまま、あるいは容器及び花器に入れ、ネット及びフォ―ムで接着剤及びワイヤーにて固定した形態でフラワーアレンジメントをする。
【実施例】
【０００７】以下、添付図面に従って実施例を説明する。図１は、１の穴あき容器に３のポプリを入れ２のセック球で覆う。セック球に５の山苔をセットし、６のプリザーブドフラワーをアレンジメントする。図２は、１の花器に３のポプリを入れ４のネットで覆う。サハラに５の山苔をセットし、６のプリザーブドフラワーをアレンジメントする。図３は、１の容器に３のポプリをそのまま入れ、２のサハラにモスをセットし、６のプリザーブドフラワーをアレンジメントする。
【産業上の利用可能性】
【０００８】本考案は、保存処理加工された花（プリザーブドフラワー、ドライフラワー）とポプリとの組み合わせを特徴とする観賞用の置物であるので、フラワーアレンジメントをする人々や店、ポプリの効能を推し進めている人々や店に幅広く活用され、また癒しを追求する様々な分野で波及し、諸産業の発展に寄与する事ができる。
【図面の簡単な説明】
【０００９】
【図１】本考案のポプリをフォームを使い接着剤で固定してフラワーアレンジメントする図面である。
【図２】本考案のポプリをネットにてワイヤーで固定し、フラワーアレンジメントする図面である。
【図３】本考案のポプリをそのまま容器及び花器に入れて組み合わせてフラワーアレンジメントする図面である。
【符号の説明】
【０００１０】１  容器、花器
２  フォーム
３  ポプリ
４  ネット
５  苔等
６  プリザーブドフラワー
【図１】
0003143591.tif 000003
【図２】
0003143591.tif 000004
【図３】
0003143591.tif 000005
(57)【要約】      （修正有）【課題】マスク裏面の毛羽立ちによる、むず痒さを防止できる裏地メッシュ式マスクを提供する。【解決手段】マスク本体１の裏面に、たるみをもたせた毛羽立たないメッシュ２を設置し、メッシュ端部３をマスク表面に折り返し、メッシュのずれを防止する為にマスク両端縫合部４にて、マスクの左右両端のみを縫合した構造である。マスク本体裏面の毛羽立ちが、メッシュにより押さえられ、肌に接触する事がなく、マスク装着箇所のむず痒さを、防止する事ができる。【選択図】図１
0003143599.tif 000002
【実用新案登録請求の範囲】
【請求項１】
肌との接触による摩擦に対して毛羽立たないメッシュを、マスクの裏側に設置した構造の裏地メッシュ式マスク。
【考案の詳細な説明】
【考案の詳細な説明】
【技術分野】
【０００１】  本考案は、マスクの裏面に、毛羽立たないメッシュを設置する事によって、マスクの装着時に生じるむず痒さを防止する、裏地メッシュ式マスクである。
【背景技術】
【０００２】  従来、マスクの装着時に生ずるむず痒さに対する防止策は、存在しなかった。
【考案を実施するための最良の形態】
【０００３】  本考案は、マスク本体１の裏面に、たるみをもたせた毛羽立たないメッシュ２を設置し、メッシュ端部３をマスク表面に折り返し、メッシュのずれを防止する為にマスク両端縫合部４にて、マスクの左右両端のみを縫合した構造である。
【考案の効果】
【０００４】  この様にすれば、マスク本体裏面の毛羽立ちが、メッシュにより押さえられ、肌に接触する事がなく、マスク装着箇所のむず痒さを、防止する事ができる。
【図面の簡単な説明】
【図１】    本考案の立体図及び断面図である。
【符号の説明】
１  マスク本体
２  毛羽立たないメッシュ
３  メッシュ端部
４  マスク両端縫合部
【図１】
0003143599.tif 000003
(57)【要約】      （修正有）【課題】全体をトルマリン石で成形した浴室用床材であって、浴室の床のみでなく、高床や浴槽にも使用できて、トルマリン石の特性である遠赤外線効果とマイナスイオン効果を全身に浴びて、全身の温浴効果を家庭でも営業用としても使用できる温浴用床材を提供する。【解決手段】トルマリンモルタルにトルマリン石粒を混入してトルマリンコンクリートとして板状体とする。単に浴室の床材として使用するばかりでなく、高床や浴槽にも使用できるため、浴室の雰囲気を遠赤外線とマイナスイオンで包み、岩盤浴効果も発揮でき身近に温浴を楽しめる。【選択図】図１
0003143585.tif 000002
【実用新案登録請求の範囲】
【請求項１】
トルマリン粒石とトルマリンモルタルで構成された板状体で、表面にトルマリン粒石を表出した浴室用床材。
【請求項２】
トルマリンモルタルに着色剤を配合した請求項１に記載の浴室用床材。
【考案の詳細な説明】
【技術分野】
【０００１】
本考案は、全体をトルマリンモルタルで形成され、表面にトルマリン石の粒体を表出した浴室用床材に関する。
【背景技術】
【０００２】
電気石と呼ばれているトルマリン石は、遠赤外線の放出やマイナスイオンの発生があるため、岩盤浴等の浴用材として、又室内の空気浄化材料として盛んに利用されている。しかし岩盤と一般に宣伝されている浴場施設の中には、砂利のような自然石の石粒を敷き詰め、この石粒の中にトルマリン石を混入して、遠赤外線とマイナスイオンによる温浴効果を宣伝しているものもあり、さらには一般の家庭用として容器内にトルマリン石を容器に封入して浴槽内に沈めて使用し、遠赤外線による温まり効果と、マイナスイオンによる体内の浄化及び美肌効果を宣伝している健康器機も見られる。
【特許文献１】特開２００５−２７０６１９号公報
【考案の開示】
【考案が解決しようとする課題】
【０００３】
本考案は、トルマリン石が粒子単位で電気を発生するという電気特性を利用して、トルマリン石を全体に結合使用して簡単に構成できる浴室用材を提供するものである。
【課題を解決するための手段】
【０００４】
本考案に使用するトルマリンモルタルとは、コロイド状の極微細粒子としたトルマリン石粉に水を加えてトルマリンゾルとし、これにセメントを加え、さらに骨材としてトルマリン石の細粒を加えてモルタルを形成したもので、これにトルマリン石の粒石を加えて板状に成形固化させ、この表面を研磨してトルマリン石粒を表出させた板状体で、この板状体Ａの表面にはトルマリン石粒が顕出して模様状を形成している。そして、この板状体を浴室用床材として使用する場合は、単に浴室の床面に敷設して使用するばかりでなく、浴用中に横になることのできる高床用として、または浴槽の構造材として使用することができる。
【０００５】
そして、本考案の床材は全体がトルマリン石で形成されているため単純な灰色であって変化がない。このため着色材を混入して好みの着色床材とすることが可能である。
【考案の効果】
【０００６】
本考案の浴室用床材は、全体がトルマリン石で形成されているため、遠赤外線による低温浴効果、即ち、低温でありながら、ゆっくりとした発汗作用により新陳代謝を促進し、汗とともに老廃物や有害物質を排出する作用と、マイナスイオンの発生によって、疲労回復や治癒力の向上、リクライゼーション効果等の健康改善の作用効果のある温浴が手軽に楽しめる浴室を形成できる。
【実施例】
【０００７】
添付図面により本考案の浴室用床材を説明すると、図１は床材Ａの断面図であり、図２は同平面図を示す。図において、（１）はトルマリンモルタルであり、（２）はトルマリン粒石を示す。（１）のトルマリンモルタルは、コロイド状の極微細トルマリン石の石粉に水を加えてトルマリンゾルとし、これにセメントを加え、さらに骨材としてトルマリン石の細粒を加えてモルタルとしたもので、この中に親指大程の大きさのトルマリン石粒を加えてコンクリート状とし、板状の型枠に投入して硬化成形して板材を成形する。
【０００８】
このようにして成形された板体は、硬化後表面を研ぎ出してトルマリン石粒（２）を顕出して模様とする。またこの表出した石粒（２）は表面に凹凸面を形成するため浴室の床面として使用した場合、足裏の刺激面となるほか、滑り易い床面の滑り防止となる。さらに高床として本考案のトルマリン石板を使用し、入浴中この高床上に横になるか、座姿勢でいるときは、岩盤浴のような作用があり発汗をうながして温浴効果を高める。
【産業上の利用可能性】
【０００９】
上述のように本考案の浴室用床材は、全体がトルマリン石からなる板状体であるため、単に床面の使用に限らず、横になって休む高床や浴槽にも利用できる。そして一般家庭用のみならず営業用の浴場にも応用でき、遠赤外線とマイナスイオンによる温浴が楽しめることで、本考案の床材の利用度合はきわめて広い。
【図面の簡単な説明】
【００１０】
【図１】床材の平面図
【図２】床材の断面図
【符号の説明】
【００１１】
１  トルマリンモルタル
２  トルマリン石粒
Ａ  本考案の浴室用床材
【図１】
0003143585.tif 000003
【図２】
0003143585.tif 000004
(57)【要約】      （修正有）【課題】片手で簡単に音をだすことができ、しかも応援意欲を満足させる応援グッズを提供する。【解決手段】各打片１、２の中央部に緩やかに突出した山部３  ４を設け、一方の山部１の山部３と、他方の打片２の山部４は、隙間を空けた状態で形成される。打片１の山部３と他方の打片２の山部４とを重ね合わせたときに両打片１、２の上方部が一定の角度で開くように、それぞれの打片１、２の上方部は、傾斜面状に形成される。各打片１、２の後方は一体化に形成された取手部６を有する。【選択図】図２
0003143581.tif 000002
【実用新案登録請求の範囲】
【請求項１】
各打片の中央部に緩やかに突出した山部を設け、一方の打片に設けた山部と他方の打片に設けた山部とは、隙間を形成し、両打片の外表面部は、平面部が形成され、各打片の後方は一体化された保持部を形成したことを特徴とする応援グッズ。
【考案の詳細な説明】
【技術分野】
【０００１】本考案は応援用グッズの改良に関するものである。
【背景技術】
【０００２】野球等のスポーツ観戦に使用するスポーツ応援グッズは、メガホン・打楽器・チアーホーン等、の種類が使われているが、応援者が声を出して応援するメガホンや、両手に持ったバルーンを敲いて音を出すものが主流である。バルーンを使用してスポーツ応援する場合には、両手が塞がれた状態になっている。片手あるいは小さな力で心地よい音を出すことができないことが問題であった。応援バルーンに代わる手軽な応援グッズを求めていた。また単に応援グッズではなくカラオケや老人ホーム等でのパフォーマンスにも使えるグッズの要求があった。
【考案の開示】
【考案が解決しようとする課題】
【０００３】本考案は、上記問題点に鑑み、片手で簡単に音をだすことができ、しかもカラオケでマラカスやカスタネットなどの楽器としても使用でき用途が広い応援グッズを提供することを目的とするものである。
【課題を解決するための手段】
【０００４】上述の如き従来の問題点を解決し、所期の目的を解決するための本考案の要旨とする構成は、各打片１、２の中央部に緩やかに突出した山部３、４を設け、一方の打片１の山部３と、他方の打片２の山部４とは、隙間を空けた状態で形成される。
打片１の山部３と他方の打片２の山部４とを重ね合わせたときに両打片１、２の上方部が一定の角度で開くように、それぞれの打片１、２の上方部は、傾斜部５が形成される。また各打片１、２の後方は一体化し、手のひらに収まるほどの取手部６が形成される。
【考案の効果】          本考案は以上の如く構成されかつ作用するものであるから、片手あるいは小さな力で心地よい音を出すことができる。また本考案の表面部は、応援者が好む任意の絵を描くことが可能であり応援だけではなく、カラオケや老人ホームでのマラカスとして幅広く使用することができる優れた効果を有する。
【考案を実施するための最良の形態】
【０００５】本発明の考案の形態に係る応援グッズについて説明する。
【実施例】以下図面を参照して説明する。例示の応援グッズは片手で保持しつつ、他の部分に打ち付けて鳴らすため一対の円形状の打片１、２を有し、各打片１、２の中央内部に山形状に突出した山部３、４が向かい合う様に隙間を設けて形成される。（図２）【０００６】一方の打片１の山部３と他方の打片２の山部４とは接触可能であり、各山部３、４が接触したときに各打片１、２の上方部が一定の角度で開くように、打片１、２の上方縁部に傾斜部５が設けられており双方が所定の角度をなすように形成される。（図２）この傾斜部５が形成されることで、両山部３，４が接触し音が発生したときに、その音が前方に伝わっていくことが可能となる。また、例示の応援グッズは、片手で握ることができる取手部６が形成される。【０００７】各打片１、２の外表面部７は、任意の絵が描けるように平面部が形成され、応援者が応援するチームのトレードマークやあるいは、好きな絵を描くことができる。（図１）
【図面の簡単な説明】
【図１】「応援グッズの表面に絵を施した応援グッズの平面図である。」
【図２】「応援グッズを示した断面図である。」
【符号の説明】
１打片
２打片
３山部
４山部
５傾斜部
６取手部
７外表面部
【図１】
0003143581.tif 000003
【図２】
0003143581.tif 000004
(57)【要約】      （修正有）【課題】浴槽の中で簡単な各種運動ができる吸盤付握り手を提供する。【解決手段】浴槽の内部に付ける握り手で、どの様な形状の浴槽でも後から取り付けが出来るように吸盤の吸着力を使っている。たとえ浴槽の両サイドが多少湾曲した浴槽でも取り付け可能にするため、吸盤を握り手の中心に配置し、吸盤は浴槽の中心の位置にくるようにしてある。両サイドに高さ調節が出来る突起部を設けてあり湾曲した浴槽にも握り手の両サイドが浴槽の面に密着する構造になっている。この握り手を握ったり、足に引っかけたりして体を前後に動かすことで、手足や腹筋などの運動が自在に浴槽の中で出来る。【選択図】図１
0003143590.tif 000002
【実用新案登録請求の範囲】
【請求項１】
浴槽の中で各種運動をすることを目的にした吸盤付き握り手で、浴槽の内面に簡単に付けることができ、握り手の片側からの引きはがしの力にも外れないように、握り手の両端側を浴槽の壁面に密着させる高さ調節機構の付いた突起部付き吸盤機構を持った握り手。
【考案の詳細な説明】
【技術分野】
【０００１】本考案は、浴槽の中で簡単な各種運動が出来る吸盤付き握り手に関する。
【背景技術】
【０００２】中高年を筆頭に、若年層まで運動不足、栄養の偏り等からおきる成人病は、いまや大きな社会問題となっている。厚生労働省もメタボ対策に本格的に乗り出しているが、解決方法として言われているのが、毎日の定期的な運動と食事対策である。しかし、現実に毎日の運動となると、時間と場所の制約があり多くの人々は運動が出来ないのが実態である。意識のある人は定期的にジムに通い、ダンスやヨガ教室などで汗を流すことを試みてはいるが、これとて時間の確保と月々の経費を考え途中で断念する人が大多数である。これの社会的要請を背景に、自宅で無理をすることなく、経費を掛けず、継続性のある運動が出来れば理想的である。
【考案の開示】
【考案が解決しようとする課題】
【０００３】社会的な大問題である成人の運動不足を、簡単な器具を用い自宅で簡単にでき、日頃の運動不足を解決させるのが本考案である。現在市場には各種運動器具が販売されているものの、多くは体のある一部分的な個所の運動だけであり、例えば手、足、腹筋、首など全身のあらゆる箇所を一つの器具で鍛えることのできる器具はない。簡単な一つの器具で、ある程度全身の筋肉を鍛えることが出来れば理想である。また、時間や経費の点から見てサラリーマンから家庭の主婦層まで、無理なく運動を継続させる事が出来るかが最大の課題である。
【課題を解決するための手段】
【０００４】日本人が毎日必ず利用するお風呂、浴槽の中を運動の場として考え、浴槽の中に本考案の器具を取り付け、プログラムに沿った運動をすることにより日頃の運動不足を解消させるのが本考案である。お風呂は毎日入る場であるので必ず習慣性が出てきて無理なく継続性のある運動になる。本考案は、強力な吸盤を持っている握り手を、浴槽の壁に取り付けることで、あらゆるタイプの浴槽に、後付けで握り手を付けることが可能になる。この握り手を握って手や腕、肩の筋肉のエクササイズ、足を引っかけて腹筋や足の筋肉のエクササイズなどが可能である。
【考案の効果】
【０００５】この種の運動で一番大事な要素は、毎日継続して出来るかである。巷には短期間でのダイエットやエクササイズ効果をうたった器具が多く市販されているが、なかなか時間の取れないサラリーマンや主婦層などが、体に負担をかけず毎日継続して運動する事は不可能に近い。本考案は毎日入るお風呂の中で出来るので、普段なかなか時間の取れないサラリーマンや主婦層であってもゆっくりお風呂に浸かりながら運動ができ極めて継続性が高い。またお湯につかりながらの運動であるので、適度なお湯の温度で筋肉や関節がほぐれた状態になるので体への負荷は低い。また水の抵抗と浮力を上手く利用することで、負荷の掛け方をコントロールできるメリットを持っているので、その時の体調により運動をコントロールすることが容易である。握り手を持っての手や肩の筋肉のエクササイズ、握り手に足を引っかけての足の筋肉、腹筋のエクササイズなど、体のあらゆる部位の運動が一つの簡単な器具で出来るのが本考案の最大の特徴である。また浴室での運動であるので、運動後の汗もシャワーで流せる。
【考案を実施するための最良の形態】
【実施例】
【０００６】以下添付図面に従って実施例を説明する。図面１は浴槽に取り付けた握り手全体のイメージ図で、図面２は握り手を上から見た図、図面３は握り手を裏から見た図、図４は実際に浴槽に取り付け手で握ったイメージ図、図５は同じく足先を引っかけて足や腹筋の運動を行った時のイメージ図、図６は実際の運動の一例のイメージ図である。一般的に浴槽内は足先が向かう壁は平面であるのでその平面の左右の中心、お湯の上面程度の位置に握り手の吸盤部分を強く押し付けレバーを回転させしっかり圧着させる。この時両サイドの突起部も浴槽の曲面に合わせ回転させ高さ調整をすることでしっかり固定させる。両サイドの突起部が固定されることにより仮に握り手の片方だけに力が加わり吸盤を片側から引き離す力が働いても容易に吸盤が取れることはない。運動としてはしっかり固定された握り手を握り、手の力だけで引き寄せ、次に引き離す、これを繰り返すことで手や肩の筋肉のエクササイズを行える。また握り手に足先を引っかけ、足の力だけで、また腹筋などを行うことにより足や腹筋のエクササイズが行える。その他スクワットや首の運動などを取り入れることで体のあらゆる部位の運動が可能になる。
【図面の簡単な説明】
【０００７】
【図１】全体イメージ図
【図２】上から見た図
【図３】裏から見た図
【図４】浴槽に取りつけ手で握ったイメージ図
【図５】浴槽に取り付け足先を引っかけたイメージ図
【図６】実際の運動の一例のイメージ図  ６−１  腕の筋力  ６−２  足の筋力  ６−３  腹筋  の各種エクササイズ例
【符号の説明】
【０００８】１  吸盤機構付き本体
２  吸盤
３  突起部
４  握り手部分
５  滑り止めグリップ
６  吸盤圧着レバー
７  浴槽
Ａ  吸盤圧着レバーの回転方向
【図１】
0003143590.tif 000003
【図２】
0003143590.tif 000004
【図３】
0003143590.tif 000005
【図４】
0003143590.tif 000006
【図５】
0003143590.tif 000007
【図６】
0003143590.tif 000008
(57)【要約】      （修正有）【課題】テントの拡大・縮小及び形状変更が容易で、かつ、運搬・設置作業が容易なネット網付きテントハウスを提供する。【解決手段】周囲、側面はネットの網に縦支持柱９と横支持柱８及び斜めクロス支持柱が支持柱となり、一定の間隔で網目に通し、正方形または長方形となり支持柱が網目に通す事によって、縦枠、横枠の転倒防止となり、また、支持柱の脱落防止になる。テントハウスはネット網目に斜めクロス支持柱を入れる事により、側面部が安定になる。また、屋根の形状は、片傾斜式のほか、かまぼこ型、平面型なども取り付け可能となり、また解体時には、屋根の横支柱を取外す事により、渦巻状に折り畳む事ができる。【選択図】図１
0003143971.tif 000002
【実用新案登録請求の範囲】
【請求項１】
本考案のテントハウスは長方形又は正方形の形状であってネット網の建造物、その表面に防水シートを取り付けされたことを特徴とする、ネット網付きテントハウス。
【請求項２】
ネット網の周囲側面は縦、横、斜めクロスの支持柱で構成、補強されたことを特徴とするネット網付きテントハウス。
【請求項３】
テントハウスを使用しない時は、四つ折りに畳んだ状態となり最小の形状となることを特徴とする、ネット網付きテントハウス
【考案の詳細な説明】
【技術分野】
【０００１】本考案のテントハウスの形状は、ネット網で構成され周囲、側面の外枠は金属又はプラスチック等で支持柱として補強された建造物になっている。
【背景技術】
【０００２】従来の方法は外枠支持柱に直接防水シートが取付けされているのが多い。【０００３】
【特許文献１】特開平８−１５１８１２号広報
【考案の開示】
【考案が解決しようとする課題】
【０００４】使用されない時はコンパクトに折畳みが出来るため最小の形状となる。【０００５】周囲及び屋根もネト網で構成され表面に防水シートを取り付けされている。
【課題を解決するための手段】
【０００６】形状は折畳みの衝立式になっているため、テントの拡大、縮小は容易である。
【考案の効果】
【０００７】テントハウスの底面部は底無しのためコンパクトに折畳む事が出来る、又運搬及び設置作業は容易である。
【考案を実施するための最良の形態】
【０００８】以下、本考案の実施の形態を図面に基づき詳細に説明する。【０００９】周囲、側面はネットの網に縦支持柱９と横支持柱８及び斜めクロス支持柱１０が支持柱となり一定の間隔で網目に通し、正方形又は長方形となり支持柱が網目に通す事によって縦枠、横枠の転倒防止となり、又は支持柱の脱落防止になる。
【実施例】
【００１０】テントハウスはネット網目に斜めクロス支持柱１０を、入れる事によって側面部が安定的になる。【００１１】屋根の形状は片傾斜式のほか、カマボコ型、平面型等も取り付けが可能となり、又屋根の横支持柱を取り除くことによって図８、の通り渦巻き状に折畳む事が出来る構造になっている。【００１２】図３は二つ折りに畳んだ時の形状となり、図４は四つ折りに畳んだ時の形状となる。
【産業上の利用可能性】
【００１３】本考案のテントハウスは仮設トイレ又は、仮設倉庫等にも利用出来る構造になっている。【００１４】折畳みの出来る衝立式になっているため増設も容易で、大型の建造物も可能となることを特徴とする、テントハウス。
【図面の簡単な説明】
【００１５】
【図１】前面部開閉トビラが開いた時の斜視図
【図２】屋根を取り除いた上部面から見た時の平面図
【図３】防水シートを取付けて二つ折りに畳んだ時の斜視図
【図４】防水シートを取付けて四つ折りに畳んだ時の斜視図
【図５】防水シートを取り除いた二つ折りに畳んだ時の斜視図
【図６】防水シートを取り除いた四つ折りに畳んだ時の斜視図
【図７】屋根の斜視図
【図８】屋根を渦巻き状に折り折畳んだ時の斜視図
【符号の説明】
【００１６】１      前面部出入りトビラ
２      右面部
３      左面部
４      背面部
５      屋根
６      防水シート及び布
７      ネット網
８      横支持柱
９      縦支持柱
１０    斜めクロス支持柱
１１    継ぎ手
１２    接続器具ネット網
【図１】
0003143971.tif 000003
【図２】
0003143971.tif 000004
【図３】
0003143971.tif 000005
【図４】
0003143971.tif 000006
【図５】
0003143971.tif 000007
【図６】
0003143971.tif 000008
【図７】
0003143971.tif 000009
【図８】
0003143971.tif 000010
【手続補正書】
【提出日】平成20年5月15日(2008.5.15)
【手続補正１】
【補正対象書類名】実用新案登録請求の範囲
【補正対象項目名】全文
【補正方法】変更
【補正の内容】
【実用新案登録請求の範囲】
【請求項１】
テントハウスは長方形又は正方形の形状であってネット網の建造物、その表面に防水シートを取付けされたことを特徴とするネット網付きテントハウス
【請求項２】
ネット網の周囲側面は縦、横、斜めクロスの支持柱で構成、補強されたことを特徴とする、請求項１記載のネット網付きテントハウス。
【請求項３】
テントハウスを使用しない時は、四つ折りに畳んだ状態となり最小の形状となることを特徴とする、請求項１記載のネット網付きテントハウス。
(57)【要約】      （修正有）【課題】額と頭が冷却でき、かつ寝返り等でずれないヘッドギア形アイス枕を提供する。【解決手段】額と頭が同時に冷却出来、アイス枕が使用中にずれないように、該アイス枕本体１をヘッドギアの形状にする。アイス枕本体には、保冷剤を入れてもよい。また、サイド部２は、頭のサイズに係わらず使用できるように、紐やマジックテープで構成してもよい。【選択図】図１
0003143972.tif 000002
【実用新案登録請求の範囲】
【請求項１】
ヘッドギア形状の額部及び後頭部に、低温下での柔軟性を備えた保冷剤を使用し、寝ている時にずれずに頭および額を冷やし続ける事が出来る。
【請求項２】
額部と後頭部をサイドで分けて、マジックテープ（登録商標）でとめることにより、頭のサイズに係らず使用出来る事が特徴の請求項１記載のアイス枕。
【考案の詳細な説明】
【技術分野】
【０００１】  この考案は、発熱時に用いるアイス枕の形状に関する。
【背景技術】
【０００２】  従来の発熱時の冷却に用いるアイス枕の形状は、長方形の枕型である。
【考案の開示】
【考案が解決しようとする課題】
【０００３】  しかしながら、従来の形状によれば、発熱時の就寝時には頭の一部しか冷却出来ず、しかも寝返り等によりアイス枕が外れてしまいます。
そこで、この考案は、額と頭が冷却出来、寝返り等でずれないアイス枕を提供することを課題とする。
【課題を解決するための手段】
【０００４】  以上の課題を解決するために、第一考案は、ヘッドギアの形状を特徴とするアイス枕である。
また、第二考案は、ヘッドギアの形状にし、額部と頭部をサイドで分けてマジックテープ（登録商標）でとめることを特徴とするアイス枕である。
【考案の効果】
【０００５】  第一考案、または第二考案によれば、アイス枕をヘッドギアの形状にすることにより、額と頭が冷却出来、アイス枕がずれない。また、サイド部をマジックテープ（登録商標）でとめることにより、頭のサイズに係らず使用出来る。
【考案を実施するための最良の形態】
【０００６】  この考案の一実施形態を、図１・図２に示す。
アイス枕の本体１はヘッドギアの形状をしており、中には保冷剤が入っている。また、サイド部２はマジックテープになっている。
【実施形態の効果】
【０００７】  この実施形態によれば、ヘッドギアの形状の働きで、額と頭が冷却出来る。アイス枕がずれない。サイド部２のマジックテープ（登録商標）でとめることにより、頭のサイズに係らず使用出来る。
【他の実施形態】
【０００８】  図１の実施形態では、サイド部はマジックテープ（登録商標）であったが、他の実施形態では、サイド部は紐のものでも良い。
【図面の簡単な説明】
【０００９】
【図１】この考案の使用時の形状を示す図面である。
【図２】この考案の未使用時の形状を示す図面である。
【符号の説明】
【００１０】      １  アイス枕本体            ２  サイド部
【図１】
0003143972.tif 000003
【図２】
0003143972.tif 000004
【手続補正書】
【提出日】平成20年5月13日(2008.5.13)
【手続補正１】
【補正対象書類名】実用新案登録請求の範囲
【補正対象項目名】全文
【補正方法】変更
【補正の内容】
【実用新案登録請求の範囲】
【請求項１】
ヘッドギア形状の額部及び後頭部に、低温下での柔軟性を備えた保冷剤を使用し、寝ている時にずれずに頭および額を冷やし続ける事が出来るヘッドギア型アイス枕。
【請求項２】
額部と後頭部をサイドで分けて、マジックテープ（登録商標）でとめることにより、頭のサイズに係らず使用出来る事が特徴の請求項１記載のヘッドギア型アイス枕。
(57)【要約】      （修正有）【課題】二酸化炭素削減を家庭や職場でも簡単にできるよう、煩わしい計算やグラフ作成をパソコンで済ますことができる二酸化炭素排出量監理記録装置を提供する。【解決手段】月ごとの電力、ガス、水道、ガソリン、灯油軽油等の消費量を入力しパソコンに読みとらせ、二酸化炭素の排出量を月ごとに項目別に記録し、更にグラフで表示出来るようにし、前年度、前々年度等の記録も記憶させ随時比較検討改善の資料に資する装置である。【選択図】図１
0003143958.tif 000002
【実用新案登録請求の範囲】
【請求項１】
二酸化炭素排出量を記録し節減改善を図らせるための装置
【考案の詳細な説明】
【考案の詳細な説明】
二酸化炭素（ＣＯ２）の排出量削減は日本はもとより世界各国の共通の課題ですが電力や石油関連の消費の大きな企業だけに任せず一般家庭や中小企業の範囲まで広く呼びかけるために、月ごとの電力、ガス。水道、ガソリン、灯油軽油、他等の消費量を  図１に入力しパソコンに読みとらせ  二酸化炭素の排出量を  表１に示すとおり月ごとに項目別に記録し更に  図２  図３に示すごとくグラフで表示出来るようにし、前年度、前々年度等の記録も記憶させ随時比較検討改善の資料に資する装置である  パソコンへの取り込みは図１に示す管理ソフトを予め入れておきます
尚二酸化炭素発生量は、各消費項目別に電力、ガス、水道、ガソリン、灯油、軽油等排出係数が定められており予め  図１  に項目ごとに入力しておき後は月毎の消費量を入力するだけで排出量の計算をしてくれることになります
計算式は電力の場合は、排出係数（０．３８）×電力消費量ＫＷＨ／月で入力すれば自動的に計算し記憶しています
図２  図３に示すグラフの次にＣＯ２削減対策考を表示させ管理担当者と対話アドバイスさせ次年度への改善に役たたせることを盛り込ませてあります
〔表１〕  一般家庭ＣＯ２月別排出量表
0003143958.tif 000003
【図面の簡単な説明】
【図１】月間使用量を入力する子機でパソコンに接続して二酸化炭素排出量を取り込ませる装置
【図２】一般家庭月別ＣＯ２排出量（電力）グラフとＣＯ２削減対策考
【図３】一般家庭月別ＣＯ２排出量（ガソリン、灯油）グラフとＣＯ２削減対策考
【図１】
0003143958.tif 000004
【図２】
0003143958.tif 000005
【図３】
0003143958.tif 000006
【手続補正書】
【提出日】平成20年1月21日(2008.1.21)
【手続補正１】
【補正対象書類名】実用新案登録請求の範囲
【補正対象項目名】全文
【補正方法】変更
【補正の内容】
【実用新案登録請求の範囲】
【請求項１】
ＣＯ２排出の要因となる項目に対する項目データ入力を行う入力部と前記入力部により入力されたそれぞれの項目データをＣＯ２排出量に換算して算出する演算処理部と前記項目データと前記演算処理部で算出されたＣＯ２排出量を記憶すると共にＣＯ２排出量に対応した表示データ（ＣＯ２削減対策考）記憶した記憶部と前記演算部により算出された前記ＣＯ２排出の要因となる項目ごとの前記ＣＯ２排出量を表示する表示部を有し前記演算処理部は前記ＣＯ２排出量をグラフ表示すると共に前記ＣＯ２排出量に基づいて前記記憶部に記憶された表示データを前記表示部に表示させることを特徴とする二酸化炭素排出量監理記録装置
【請求項２】
前記入力部は前記演算処理部を有するパーソナルコンピータから独立した子機であることを特徴とする請求項１に記載の二酸化炭素排出量監理記録装置
【請求項３】
前記表示部は前記演算部により算出された前記ＣＯ２排出量に基づいて異なる表示データ（ＣＯ２削減対策考）を表示させることを特徴とする請求項１に記載の二酸化炭素排出量監理記録装置
【手続補正書】
【提出日】平成20年5月2日(2008.5.2)
【手続補正１】
【補正対象書類名】実用新案登録請求の範囲
【補正対象項目名】全文
【補正方法】変更
【補正の内容】
【実用新案登録請求の範囲】
【請求項１】
ＣＯ２排出の要因となる項目に対する項目データ入力を行う入力部と前記入力部により入力されたそれぞれの項目データをＣＯ２排出量に換算して算出する演算処理部と前記項目データと前記演算処理部で算出されたＣＯ２排出量を記憶すると共にＣＯ２排出量に対応したＣＯ２削減対策考を記憶した記憶部と前記演算部により算出された前記ＣＯ２排出の要因となる項目ごとの前記ＣＯ２排出量を表示する表示部を有し前記演算処理部は前記ｃｏ２排出量をグラフ表示すると共に前記ＣＯ２排出量に基づいて前記記憶部に記憶された表示データを前記表示部に表示させることを特徴とする二酸化炭素排出量監理記録装置
【請求項２】
前記入力部は前記演算処理部を有するパーソナルコンピータから独立した子機であることを特徴とする請求項１に記載の二酸化炭素排出量監理記録装置
【請求項３】
前記表示部は前記演算部により算出された前記ＣＯ２排出量に対応したＣＯ２削減対策考を表示させることを特徴とする請求項１に記載の二酸化炭素排出量監理記録装置